(57)【要約】【課題】簡単に製造することができて、オーバーフロー排水のみを排出でき、設置した近傍の地盤の軟弱化や洗掘を発生させないようすることのできる側溝ブロックを提供すること。【解決手段】断面がＵ字形状であり、側壁１１の内側上部に形成した載置段部１１ａ上に溝蓋またはグレーチング１３が載置され、かつ底面１２が塞がれた側溝ブロック１０であって、この側溝ブロック１０の少なくとも一側壁１１の外または内部に、上端部を載置段部１１ａ近傍に開口させ、下端部を底面１２近傍に開口させたオーバーフロー通路１４を設けたこと。【選択図】図１
2007169902.tif 000002
【特許請求の範囲】
【請求項１】
断面がＵ字形状であり、側壁の内側上部に形成した載置段部上に溝蓋またはグレーチングが載置され、かつ底面が塞がれた側溝ブロックであって、
この側溝ブロックの少なくとも一側壁の外または内部に、上端部を前記載置段部近傍に開口させ、下端部を前記底面近傍に開口させたオーバーフロー通路を設けたことを特徴とする側溝ブロック。
【請求項２】
底面が塞がれ断面がＵ字形状であり、側壁の内側上部に形成した載置段部上に溝蓋またはグレーチングが載置され、かつ前記底面の下側に貯水ますを設けた側溝ブロックであって、
この側溝ブロックの少なくとも一側壁の外または内部に、上端部を前記載置段部近傍に開口させ、下端部を前記貯水ます内に開口させたオーバーフロー通路を設けたことを特徴とする側溝ブロック。
【請求項３】
前記貯水ますに排水口を設けたことを特徴とする請求項２に記載の側溝ブロック。
【請求項４】
前記排水ます内に吸水材を充填したことを特徴とする請求項２または請求項３に記載の側溝ブロック。
【発明の詳細な説明】
【技術分野】
【０００１】
本発明は、側溝ブロックに関し、特に、これからオーバーフローしそうな排水を近傍の土中または貯水ます内に排出できるようにした側溝ブロックに関するものである。
【背景技術】
【０００２】
側溝ブロックは、道路脇等に多数埋設されて排水路を構成するものであり、近年では種々なものが提案されてきているが、その多くはコンクリートによって一体成形されている。そして、このような側溝ブロックは、その側壁の上端内側に形成した載置段部に溝蓋またはグレーチングを載置収納して、この溝蓋またはグレーチングの上面が道路面と略同一となるようにし、道路上からの当該側溝ブロック内への直接排水も行えるようにしている。
【０００３】
このような従来の側溝ブロックは、その排水路中に集めた排水は勿論、道路上に降った雨水をも他の場所に排水できることから、非常に有効なものである。しかしながら、排水路を通して排水されてきた排水の量が排水能力を超えると、この側溝から道路上に溢れ出す（所謂オーバーフロー）だけでなく、道路上の雨水の排水が不可能になってしまう。
【０００４】
そこで、この種の側溝ブロックにおいて、その排水の一部を地下等の側溝ブロック以外の場所に排水することが考えられるのであるが、そのようにしたものとしては、例えば特許文献１〜特許文献４にて提案されているような様々な技術がある。
【０００５】
特許文献１に記載されている「透水性舗装道路用側溝管およびその配設構造」は、「透水性舗装道路の側縁に埋設する側溝管を、一時的に集中して降る雨水など多量の雨水を吸水および給水すべく構成し配設することにより、道路での透過雨水を可及的大地に供給還元して下水処理稼動を軽減すると共に、迅速に効率よく排出して道路の透水性の効用を充分に活用することにある」を目的としてなされて、図９に示すような、「長さ方向に沿って主要排水路３を有する溝管体２の一方の側壁２ｂに排水路３に通じる吸水孔６を穿設すると共に、他方の側壁２ｃに排水路３に通じる給水孔７を穿設して側溝管１を構成し、該側溝管１を透水性舗装道路の側縁に沿って吸水孔６を道路側に、給水孔７を反道路側に向けて埋設して配設する」といった構成を有しているものである。
【０００６】
特許文献２に記載されている「排水性舗装用落蓋側溝暗渠」は、「舗装内へ浸透した雨水と浸透しない表面水とを連続的に排水する落蓋側溝暗渠工法において、舗装浸透水を蓋版と側溝内面との間隙を通さずに側溝内に最短距離で排出する」ことを目的としてなされて、図１０に示すような、「落蓋側溝（５）の舗装止めとなる側壁外面に凸条（８）を設け、排水性舗装側端沿いの下部隅角部（４）から側溝内の蓋下に貫通する水抜孔（１１）、または側壁外面にたて溝（１０）と上端部１４ａ字状に連結し側溝内の蓋下に貫通する水抜孔（１１）を適宜の間隔に配設する」といった構成を有しているものである。
【０００７】
特許文献３に記載されている「貯水システム」は、「地下に設けられた貯水空間内に雨水等の排水を貯留し、上記貯留水を飲用水としても利用可能とする」を目的としてなされて、図１１に示すような、「上記第１の貯水槽１と、この第１の貯水槽１の水流入口１２に接続された水流入路としての第１の側溝２と、上記浄水層側に設けられた第１の流出孔１３により第１の貯水槽１と連通する第２の貯水槽３と、上記第１の貯水槽１及び第２の貯水槽３にそれぞれ設けられた排出孔１４，２２により連通する第１，第２の導水管４，５と、上記第１の貯水槽１に設けられた水排出口１５に接続された排水路としての第２の側溝６とから構成される貯水システムにおいて、この第１の貯水槽１内に、水保持空間を形成するための空間支持体として骨格部材１ａを積層配置し、その一部に浄化部としての浄水層１１を設ける」といった構成を有しているものである。
【０００８】
特許文献４に記載されている「穴あきの排水側溝及び溜桝」は、「流水・湧水を相互還流させて無駄なく自然水を有効活用し、地盤流失災害の抑止に役立て、さらには環境破壊の抑止につなげる排水側溝及び集水溜桝を提供する」ことを目的としてなされて、図１２に示すような、「Ｕ型側溝及び溜桝に複数の穴１を施し流水・湧水を相互還流させて無駄なく自然水を有効活用する。また、長期多量雨による地中湧水を吸水排出することにより地盤流失災害の抑止に役立てる。さらに、この製品を産業廃棄物プラスチックの再利用により製品化する」といった構成を有しているものである。
【特許文献１】特開平８−８１９９９号公報、要約、代表図
【特許文献２】特開２０００−１２９７６９号公報、要約、代表図
【特許文献３】特開２００１−３２３５２０号公報、要約、代表図
【特許文献４】特開２００５−９２７９号公報、要約、代表図
【発明の開示】
【発明が解決しようとする課題】
【０００９】
しかしながら、特許文献１の技術では、「一時的に集中して降る雨水など多量の雨水を吸水および給水」はできるかもしれないが、図９にも示したように、非常に複雑な構造をしているため、これをコンクリートによって一体成形することは非常に困難かと思われる。（製造の困難性）また、道路側に開口している「吸水孔６」は「目詰まり」する可能性が高く、長期間に亘って有効な機能を発揮できないと考えられる。（機能持続の困難性）
また、特許文献２の技術でも、図１０に示した「水抜孔１１」が非常に小さいもののように思われ、このような水抜孔１１の製造は、コンクリートブロック内のものとしては困難であるだけでなく、上記特許文献１の場合と同様に「目詰まり」し易いものではないかと考えられる。
【００１０】
さらに、特許文献３の技術でも、図１１に示したように、全体として非常に複雑な構造のものとなっていて、その設置場所の選定が困難となっているだけでなく、コストも膨大に掛かるものと思われる。（経済性の欠如）
そして、特許文献４の技術では、図１２に示したように、底面にも「通水用丸穴１」を形成するものであるから、この丸穴１からその下側に常時排水されることになり、「排水のオーバーフロー」の問題はないかもしれないが、当該側溝近傍の土中は排水が常に浸み込んだ状態となり、地盤を軟弱にするだけでなく、場合によっては、常に浸み込む排水によって側溝下が洗掘されることもあり得る。（地盤の軟弱化及び洗掘）
以上の通り、従来の側溝ブロックでは一長一短があり、特に、オーバーフローした排水についての考慮も殆どなされていなかったのである。
【００１１】
そこで、本発明者等は、この種の側溝ブロックについて、
（１）コンクリートにより一体成形でき、製造容易であること
（２）側溝ブロックの容量を超えたオーバーフロー排水だけを近傍の土中に排出するようにして、通常時には、近傍への排水は行わないようにして、近傍の洗掘を発生させないようにすること
（３）オーバーフロー排水が発生するのは一時的なことが多いから、その時間が過ぎた後にも、オーバーフロー排水の土中への浸透を緩慢に行えるようにすること
ができるようにするにはどうしたらよいか、について種々検討を重ねてきた結果、本発明を完成したのである。
【００１２】
すなわち、本発明の目的とするところは、簡単に製造することができて、オーバーフロー排水のみを排出でき、設置した近傍の地盤の軟弱化や洗掘を発生させないようすることのできる側溝ブロックを提供することにある。
【課題を解決するための手段】
【００１３】
以上の課題を解決するために、まず、請求項１に係る発明の採った手段は、後述する最良形態の説明中で使用する符号を付して説明すると、
「断面がＵ字形状であり、側壁１１の内側上部に形成した載置段部１１ａ上に溝蓋またはグレーチング１３が載置され、かつ底面１２が塞がれた側溝ブロック１０であって、
この側溝ブロック１０の少なくとも一側壁１１の外または内部に、上端部１４ａを載置段部１１ａ近傍に開口させ、下端部１４ｂを底面１２近傍に開口させたオーバーフロー通路１４を設けたことを特徴とする側溝ブロック１０」
である。
【００１４】
すなわち、この請求項１の側溝ブロック１０は、図１〜図４に示すように、基本的には、断面がＵ字形状であり、側壁１１の内側上部に形成した載置段部１１ａ上に溝蓋またはグレーチング１３が載置され、かつ底面１２が塞がれたものである。ここで、当該側溝ブロック１０の底面１２が塞がれたものである必要があるのは、通常時には、当該側溝ブロック１０によって構成された排水路を使って通常の排水、つまり当該側溝ブロック１０によって形成された排水路をと通しての遠くへの排水を行い、一時的な大雨があったときには、当該側溝ブロック１０から溢れ出ようとするオーバーフロー排水のみを当該側溝ブロック１０の外部、つまり下側及び近傍へ排水したいからである。
【００１５】
そして、この側溝ブロック１０は、その少なくとも一側壁１１の外または内部に、上端部１４ａを載置段部１１ａ近傍に開口させ、下端部１４ｂを底面１２近傍に開口させたオーバーフロー通路１４を設けたものである。このオーバーフロー通路１４は、図１〜図３に示したように、側壁１１に接続したオーバーフロー管２０によって形成することもあるが、図４に示したように、側壁１１内に直接形成することもある。
【００１６】
このオーバーフロー通路１４を側壁１１内に直接形成するにせよ、オーバーフロー管２０を使用してこの中をオーバーフロー通路１４とするにせよ、何れの場合も重要なことは、その上端部１４ａが載置段部１１ａ近傍に開口しており、その下端部１４ｂが底面１２近傍に開口していることである。何故なら、当該側溝ブロック１０は、その容量を超えたオーバーフロー排水のみを当該側溝ブロック１０の近傍の土中に浸透させるものであるから、まず、オーバーフロー通路１４の上端部１４ａを載置段部１１ａ近傍に開口させてオーバーフロー排水のみを受け入れるものとしなければならないし、受け取ったオーバーフロー排水を側溝ブロック１０内に戻らないようにするために、オーバーフロー通路１４の下端部１４ｂを底面１２近傍に開口させなければならいからである。
【００１７】
なお、このオーバーフロー通路１４の上端部１４ａに対しては、落ち葉やゴミが侵入しないようにするための「網」や「格子」を設けておくとよい。また、このオーバーフロー通路１４の最大直径としては、側壁１１の強度を損なわない程度であることがよく、最小直径は３〜５ｃｍ程度であれば、目詰まりの心配は殆どない。
【００１８】
このオーバーフロー通路１４をオーバーフロー管２０によって構成する場合には、側壁１１の側面にこのオーバーフロー管２０が差し込める程度の穴を開けておいて、この穴内に、側溝ブロック１０を施工場所に設置した後に、オーバーフロー管２０の上端部１４ａを差し込むようにしてもよい。また、当該側溝ブロック１０の側端面に、図２に示したように挿入部１１ｂを形成しておき、当該側溝ブロック１０に隣接して設置される別の側溝ブロック１０側の挿入部１１ｂとによって形成された穴内にオーバーフロー管２０を差し込むようにしてもよい。
【００１９】
このオーバーフロー管２０の下端は、図３にも例示するように、当該側溝ブロック１０の外側に向けて開口するようにすると、近傍の地盤の軟弱化や洗掘を発生させないようすることができるだけでなく、当該側溝ブロック１０の下側にモルタルを付設することができる。なお、当該側溝ブロック１０の下側にグリ石等の吸水材１５ｂを敷設しておき、この上に側溝ブロック１０を載置して、オーバーフロー通路１４またはオーバーフロー管２０の下端部１４ｂをこの吸水材１５ｂ内に開口させるようにすれば、オーバーフロー排水を当該吸水材１５ｂ内に浸透させることができて、吸水材１５ｂによるオーバーフロー排水の一時的な保水を行わせることができる。
【００２０】
従って、この請求項１の側溝ブロック１０は、コンクリートによって簡単に一体的に製造することができて、オーバーフロー通路１４によってオーバーフロー排水のみを排出でき、設置した近傍の地盤の軟弱化や洗掘を発生させないようすることができるものとなっているのである。
【００２１】
また、以上の課題を解決するために、請求項２に係る発明の採った手段は、後述する最良形態の説明中で使用する符号を付して説明すると、
「底面１２が塞がれ断面がＵ字形状であり、側壁１１の内側上部に形成した載置段部１１ａ上に溝蓋またはグレーチング１３が載置され、かつ底面１２の下側に貯水ます１５を設けた側溝ブロック１０であって、
この側溝ブロック１０の少なくとも一側壁１１の外または内部に、上端部１４ａを載置段部１１ａ近傍に開口させ、下端部１４ｂを貯水ます１５内に開口させたオーバーフロー通路１４を設けたことを特徴とする側溝ブロック１０」
である。
【００２２】
この請求項２の発明に係る側溝ブロック１０の、上記請求項１に係るそれと異なる点は、図５〜図７に示すように、底面１２の下側に貯水ます１５を設けて、オーバーフロー通路１４またはオーバーフロー管２０の下端部１４ｂを貯水ます１５内に開口させたことである。その他の点は、上記請求項１のそれと同様であるので、共通する部材については、図５〜図８に同一符号を付してその説明は省略する。
【００２３】
さて、以上のように構成した請求項２の側溝ブロック１０では、そのオーバーフロー通路１４またはオーバーフロー管２０によってオーバーフロー排水が貯水ます１５内に供給される。つまり、一時的に発生するオーバーフロー排水は、オーバーフロー通路１４またはオーバーフロー管２０を通してこの貯水ます１５内に貯水されるから道路上等に溢れ出ることはないのであり、この貯水ます１５は側溝ブロック１０と同様排水路を構成できるから、この貯水ます１５による排水路を通してオーバーフロー排水は別場所に排出される。
【００２４】
勿論、この貯水ます１５は、図５及び図６に示したように、上側の側溝ブロック１０とは全く別体のものとして構成してもよく、図７に示したように、側溝ブロック１０と一体的なものとして構成してもよい。図５及び図６に示したような、上側の側溝ブロック１０とは全く別体のものとして構成した場合には、この貯水ます１５を使用しないで図１〜図４に示したような使用も選択できるものであり、図７に示したような、側溝ブロック１０と一体的なものとして構成した場合には、製造工程を簡略化できるものである。
【００２５】
従って、この請求項２に係る側溝ブロック１０も、コンクリートによって簡単に一体的に製造することができて、オーバーフロー通路１４によってオーバーフロー排水のみを排出でき、設置した近傍の地盤の軟弱化や洗掘を発生させないようすることができるものとなっているのである。
【００２６】
さらに、上記課題を解決するために、請求項３に係る発明の採った手段は、上記請求項２に記載の側溝ブロック１０について、
「貯水ます１５に排水口１５ａを設けたこと」
である。
【００２７】
すなわち、この請求項３の側溝ブロック１０では、図５〜図７に示したように、その貯水ます１５に排水口１５ａを設けたものであり、これにより、当該貯水ます１５が排水路として構成されない場合には、当該貯水ます１５内にオーバーフロー通路１４またはオーバーフロー管２０を通して導入されたオーバーフロー排水を、排水口１５ａから時間をおいて周囲の土中に浸み込ませることができるのである。この排水口１５ａは比較的大きな穴として形成しておいて、内側に不織布や網等を配置するようにして形成してもよいものである。
【００２８】
つまり、この側溝ブロック１０では、貯水ます１５に形成した排水口１５ａが土中に埋まった状態になっているから、貯水ます１５内に一旦貯められたオーバーフロー排水がこの排水口１５ａを通して周囲の土中内に浸透されるのである。このことは、オーバーフロー排水によって洗掘を発生させないことを意味しているとともに、逆に周囲の土中内の余剰の水分を、オーバーフロー排水が発生しないときに当該貯水ます１５内に導くことができることも意味している。
【００２９】
従って、この請求項３の側溝ブロック１０は、上記請求項２のそれと同様な機能を発揮する他、洗掘を発生させないで、オーバーフロー排水を周囲の土中に浸透させることができ、またオーバーフロー排水が発生してはいないときに、余剰の水分を貯留することもできるものとなっている。
【００３０】
そして、上記課題を解決するために、請求項４に係る発明の採った手段は、上記請求項２または請求項３に記載の側溝ブロック１０について、
「排水ます１５内に吸水材１５ａを充填したこと」
である。
【００３１】
すなわち、この請求項４の側溝ブロック１０では、図５に示すように、当該貯水ます１５内に吸水材１５ｂを充填したものであり、この吸水材１５ｂによって導入されてきたオーバーフロー排水の一時的保水を可能にしたものである。この吸水材１５ｂとしては、前述した「グリ石」は勿論、多数の保水穴を有する合成樹脂生のもの、例えばスポンジや、あるいはその他の均等物が使用できる。
【００３２】
この吸水材１５ｂによってオーバーフロー排水が一時的に保水されることにより、排水口１５ａからの排出が急激には行われない。つまり、貯水ます１５内に導入されてきたオーバーフロー排水は、一旦この貯水ます１５内に貯められ、時間をおいて排水口１５ａから周囲の土中に浸透していくものである。このことは、オーバーフロー排水ではなくて周囲の土中から浸み込んできた水についても同様である。このため、オーバーフロー排水の急激な排出は抑制され、オーバーフロー排水はじんわりと周囲の土中に浸透していき、洗掘がなされることはない。
【００３３】
従って、この請求項４の側溝ブロック１０は、上記請求項３のそれと同様な機能を発揮する他、洗掘の発生をより一層抑制できるものとなっている。
【発明の効果】
【００３４】
以上、詳述した通り、本発明においては、
「断面がＵ字形状であり、側壁１１の内側上部に形成した載置段部１１ａ上に溝蓋またはグレーチング１３が載置され、かつ底面１２が塞がれた側溝ブロック１０であって、
この側溝ブロック１０の少なくとも一側壁１１の外または内部に、上端部１４ａを載置段部１１ａ近傍に開口させ、下端部１４ｂを底面１２近傍に開口させたオーバーフロー通路１４を設けたこと」
にその構成の主たる特徴があり、これにより、簡単に製造することができて、オーバーフロー排水のみを排出でき、設置した近傍の地盤の軟弱化や洗掘を発生させないようすることのできる側溝ブロック１０を提供することができるのである。
【００３５】
換言すれば、本発明に係る側溝ブロック１０によれば、
（１）コンクリートにより一体成形でき、製造容易である
（２）オーバーフロー排水だけを近傍の土中に排出するようにして、通常時には、近傍への排水は行わないようにすることができて、近傍の洗掘を発生させない
（３）オーバーフロー排水が発生するのは一時的なことが多いが、その時間が過ぎた後にも、オーバーフロー排水の土中への浸透を緩慢に行える
といった優れた効果を発揮できるものとなっているのである。
【発明を実施するための最良の形態】
【００３６】
次に、以上のように構成した各請求項に係る発明を、図面に示した最良の形態である側溝ブロック１０について説明すると、図１には請求項１に係る側溝ブロック１０の部分斜視図が示してある。この側溝ブロック１０は、断面がＵ字形状であり、側壁１１の内側上部に形成した載置段部１１ａ上に溝蓋またはグレーチング１３が載置されるものであり、底面１２は塞がれたものである。
【００３７】
また、この側溝ブロック１０は、図１〜図４に示したように、その少なくとも一側壁１１の外または内部に、上端部１４ａを載置段部１１ａ近傍に開口させ、下端部１４ｂを底面１２近傍に開口させたオーバーフロー通路１４を設けたものである。図１〜図３に示した側溝ブロック１０では、オーバーフロー通路１４をオーバーフロー管２０によって形成するようにしているが、図４に示したように、このオーバーフロー通路１４を側壁１１内に直接形成するようにしてもよい。
【００３８】
オーバーフロー管２０を使用してオーバーフロー通路１４とする場合、図１に示したように、側壁１１にオーバーフロー管２０のための挿入穴を形成して、図３に示したように、この挿入穴内にオーバーフロー管２０の上端部１４ａを挿入するようにしてもよいが、図２に示したように、側壁１１の側面に半円状の挿入部１１ｂを形成しておき、この挿入部１１ｂと別の側溝ブロック１０に端面に形成した挿入部１１ｂとによって形成された円形の穴内にオーバーフロー管２０の上端部１４ａを挿入するようにしてもよい。
【００３９】
また、このオーバーフロー通路１４の下端部１４ｂは、図１〜図４に示したように、底面１２近傍の土中に直接開口させてある。このオーバーフロー通路１４の下端部１４ｂは、当該側溝ブロック１０の下側に吸水材１５ｂを敷き詰めておき、この吸水材１５ｂ内に開口させるように実施してもよい。
【００４０】
図５〜図８には、請求項２に係る側溝ブロック１０が示してあるが、この側溝ブロック１０の請求項１のそれと異なる点は、底面１２の下側に貯水ます１５を配置するようにしたことである。この貯水ます１５は、図５及び図６に示したように、上側とは別体にして形成してもよいが、図７に示したように、底面１２を天井とし側壁が側壁１１と連続するものとして、上側と全く一体のものとして構成してもよい。
【００４１】
この貯水ます１５に対しては、図５等に示したように、排水口１５ａを形成しておくとよい。また、この貯水ます１５内には、吸水材１５ｂを詰めておくとよい。勿論、この貯水ます１５に対しては、オーバーフロー通路１４またはオーバーフロー管２０の下端部１４ｂが開口されることは言うまでもない。
【００４２】
なお、以上のような貯水ます１５を有する側溝ブロック１０の場合、図７及び図８に示したように、その底面１２の一部に開口を形成しておき、この開口内に補助蓋１６を挿入するようにしておくとよい。この補助蓋１６は、挿入時には底面１２に開口を形成しないようにするものになると同時に、この補助蓋１６を取り外すことによって貯水ます１５内を地面上に開放することができるようにするものであり、この補助蓋１６の解放時に貯水ます１５内の清掃やメンテンナンスを行えるようにするものである。
【図面の簡単な説明】
【００４３】
【図１】本発明の請求項１に係る側溝ブロックの部分斜視図である。
【図２】オーバーフロー通路の上端部を端部で接続できるようにした側溝ブロックの部分斜視図である。
【図３】図１または図２に示した側溝ブロックを施工したときの断面図である。
【図４】オーバーフロー通路を側壁内に形成した側溝ブロックを示す断面図である。
【図５】本発明の請求項２に係る側溝ブロックの部分斜視図である。
【図６】同側溝ブロックの縦断面図である。
【図７】同側溝ブロックの他の例を示す縦断面図である。
【図８】同側溝ブロックの平面図である。
【図９】従来の技術を示す斜視図である。
【図１０】従来の他の技術を示す一部破断斜視図である。
【図１１】従来のさらに別の技術を示す断面図である。
【図１２】従来の技術を示す断面図である。
【符号の説明】
【００４４】
１０    側溝ブロック
１１    側壁
１１ａ  載置段部
１１ｂ  挿入部
１２    底面
１３    溝蓋またはグレーチング
１４    オーバーフロー通路
１４ａ  上端部
１４ｂ  下端部
１５    貯水ます
１５ａ  排水口
１５ｂ  吸水材
１６    補助蓋
２０    オーバーフロー管
【図１】
2007169902.tif 000003
【図２】
2007169902.tif 000004
【図３】
2007169902.tif 000005
【図４】
2007169902.tif 000006
【図５】
2007169902.tif 000007
【図６】
2007169902.tif 000008
【図７】
2007169902.tif 000009
【図８】
2007169902.tif 000010
【図９】
2007169902.tif 000011
【図１０】
2007169902.tif 000012
【図１１】
2007169902.tif 000013
【図１２】
2007169902.tif 000014